(57)【要約】【課題】本発明によれば、枠体と被取付面との間に配置しやすく、かつ枠体を取り付けた後にも枠体と被取付面との間の隙間を調整可能な建具を提供すること。【解決手段】躯体１０又は既設枠の被取付面及び上横枠２１の間に配置される隙間調整部材５を有する建具１であって、隙間調整部材５は、上横枠２１の内側見込面２１ａから外側見込面２１ｂに向けて挿入されるとともに上横枠２１の厚み方向に螺合され、取り付けられた状態で軸部５１２の端部が上横枠２１の外側見込面２１ｂから突出し、頭部５１１が上横枠２１の内側見込面２１ａに露出する調整ねじ５１により構成される、建具１である。【選択図】図２
2019173518.tif 000002
【特許請求の範囲】
【請求項１】
躯体又は既設枠の被取付面及び枠体の間に配置される隙間調整部材を有する建具であって、
前記隙間調整部材は、前記枠体の内側見込面から外側見込面に向けて挿入されるとともに前記枠体の厚み方向に螺合され、取り付けられた状態で軸部の端部が前記枠体の前記外側見込面から突出し、頭部が前記枠体の前記内側見込面に露出する調整ねじにより構成される、建具。
【請求項２】
前記隙間調整部材は、前記被取付面と、前記枠体の前記外側見込面とに対面するように配置され、前記軸部の端部に当接可能な平板状の拡幅部を有する、請求項１に記載の建具。
【請求項３】
前記拡幅部は、前記枠体の前記外側見込面に取り付けられる板ばねである請求項２記載の建具。
【発明の詳細な説明】
【技術分野】
【０００１】
本発明は、建具に関する。
【背景技術】
【０００２】
従来、建具の枠体を建物の躯体や改装建具の既設枠等の被取付面に取り付ける際に、隙間を塞いで強固に取り付けるため、スペーサー等の隙間調整部材を挿入することが知られている（例えば、特許文献１参照）。
【先行技術文献】
【特許文献】
【０００３】
【特許文献１】特開２０１５−１４５５７０号公報
【発明の概要】
【発明が解決しようとする課題】
【０００４】
スペーサーは、建物の内装を仕上げた後は、挿入することができないので、スペーサーを取り付けることは枠体の取付作業中に限定されることとなる。しかし、枠体を取り付けた後で、スペーサーの挿入や追加が必要となる場合があった。また、建具を取り付ける納まりによっては、スペーサーを挿入できない場合もあった。このため、枠体と被取付面との間に配置しやすく、かつ枠体を取り付けた後にも枠体と被取付面との隙間の間隔を調整できる隙間調整部材が望まれていた。
【課題を解決するための手段】
【０００５】
本発明は、躯体（例えば、後述の躯体１０）又は既設枠の被取付面及び枠体（例えば、後述の枠体２）の間に配置される隙間調整部材（例えば、後述の隙間調整部材５）を有する建具（例えば、後述の建具１）であって、前記隙間調整部材は、前記枠体の内側見込面（例えば、後述の内側見込面２１ａ）から外側見込面（例えば、後述の外側見込面２１ｂ）に向けて挿入されるとともに前記枠体の厚み方向に螺合され、取り付けられた状態で軸部（例えば、後述の軸部５１２）の端部が前記枠体の前記外側見込面から突出し、頭部（例えば、後述の頭部５１１）が前記枠体の前記内側見込面に露出する調整ねじ（例えば、後述の調整ねじ５１）により構成される、建具に関する。
【０００６】
前記隙間調整部材は、前記被取付面と、前記枠体の前記外側見込面とに対面するように配置され、前記軸部の端部に当接可能な平板状の拡幅部（例えば、後述の拡幅部５２４）を有することが好ましい。
【０００７】
前記拡幅部は、前記枠体の前記外側見込面に取り付けられる板ばね（例えば、後述の板ばね５２）であることが好ましい。
【発明の効果】
【０００８】
本発明によれば、枠体と被取付面との間に配置しやすく、かつ枠体を取り付けた後にも枠体と被取付面との間の隙間を調整可能な建具を提供することができる。
【図面の簡単な説明】
【０００９】
【図１】本実施形態の建具を屋内側から見た正面図である。
【図２】図１のＡ−Ａ線の部分拡大断面図である。
【図３】本実施形態の隙間調整部材を示し、（ａ）図は上面図、（ｂ）図は側面部、（ｃ）図は底面図、（ｄ）図は正面図を示す。
【図４】（ａ）〜（ｃ）図は、本実施形態の隙間調整部材の使用状態説明図である。
【発明を実施するための形態】
【００１０】
以下、本発明の実施形態について、図面を参照しながら詳細に説明する。図１は、本実施形態に係る建具の一実施形態を示す正面図であり、建具１を屋内側から見た状態を示している。図２は、図１のＡ−Ａ線の部分拡大断面図である。建具１は、建物の開口部に配置される引違い窓であり、躯体１０（図２参照）に取り付けられ、枠体２と、枠体２の内周側に配置される障子３と、枠体２と躯体１０との間に配置される隙間調整部材５と、を有する。
【００１１】
枠体２は、上横枠２１と下横枠２２と左右一対の縦枠２３、２３とで矩形に形成される。図２に示すように、上横枠２１は、見込方向に所定の厚さを有し、取り付けられた状態で、障子３側に面する内側見込面２１ａと、躯体側に面する外側見込面２１ｂと、を有する。なお、見込方向とは、建具１の室内外を結ぶ方向であり、奥行方向である。
【００１２】
障子３は、４枚の障子３１〜３４を有する。図１は、これら４枚の障子３１〜３４が全て閉じられた状態を示している。建具１は、このように４枚の障子３１〜３４が閉じられることにより、屋内側と屋外側とを隔てるように構成される。
【００１３】
４枚の障子３１〜３４のうち、中央に配置される２枚の障子３２、３３は、上横枠２１及び下横枠２２に形成された同一のレール（図示せず）上を左右にスライド移動するように枠体２に取り付けられている。また、両端に配置される２枚の障子３１、３４は、上横枠２１及び下横枠２２に、中央の障子３２、３３がスライド移動するレールの屋外側に平行に配置された同一のレール（図示せず）上を左右にスライド移動するように枠体２に取り付けられている。
【００１４】
この建具１は、両端の障子３１、３４がそれぞれ縦枠２３、２３に突き当てられるとともに、これらの障子３１、３４の屋内側に配置される障子３２、３３が、建具１の中央部で突き合わされることにより閉じられる。閉じられた状態において、建具１の中央部に、障子３２と障子３３の突合せ部３０が構成される。
【００１５】
障子３２は、それぞれ横方向に延びる上框３２１と下框３２２と、障子３２の戸先側（図１における右側）に縦方向に延びる縦框である突合せ框３２３と、障子３２の戸尻側（図１における左側）に縦方向に延びる縦框３２４とで矩形に枠組みされた内側に、ガラスＧが収容されている。また、障子３３は、それぞれ横方向に延びる上框３３１と下框３３２と、障子３３の戸先側（図１における左側）に縦方向に延びる縦框である突合せ框３３３と、障子３３の戸尻側（図１における右側）に縦方向に延びる縦框３３４とで矩形に枠組みされた内側に、ガラスＧが収容されている。なお、図１における障子３２の突合せ框３２３は、障子３３の突合せ框３３３に隠れて見えていない。中央の障子３２と障子３３とは、それぞれの突合せ框３２３、３３３同士が突き合わされることにより閉じられ、中央部で突き合わされた突合せ框３２３、３３３により、突合せ部３０が構成される。
【００１６】
障子３１、３４は、それぞれ横方向に延びる上框３１１、３４１と下框３１２、３４２と、それぞれ縦方向に延びる縦框３１３、３１４、３４３、３４４とで矩形に枠組みされた内側に、ガラスＧが収容されている。図１において、障子３１の戸先側（図１における右側）に配置される縦框３１３は、障子３２の縦框３２４に隠れて見えていない。また、障子３４の戸先側（図１における左側）に配置される縦框３４３は、障子３３の縦框３３４に隠れて見えていない。
【００１７】
建具１の縦方向の中ほどには、障子３１と障子３２とに亘り、及び障子３３と障子３４とに亘り、それぞれ両者を施錠するクレセント錠９、９が取り付けられている。また、障子３１、３４の下框３１２、３４２には、それぞれ障子３２及び障子３３を施錠する補助ロック機構９１、９１が取り付けられている。
【００１８】
図２は、図１のＡ−Ａ線部分拡大図であり、上横枠２１が建物の躯体１０に取り付けられた状態を示している。図２に示すように、上横枠２１は、軸の長いねじで躯体１０に固定されており、上横枠２１と躯体１０との間には、取付誤差等によりわずかな隙間Ｓが形成されている。隙間調整部材５は、上横枠２１を躯体に固定するためのねじの近傍であって、躯体１０の被取付面と上横枠２１との隙間Ｓに配置される。図１に示すように、隙間調整部材５は、上横枠２１に沿って間隔を空けて複数配置される。隙間調整部材５は、調整ねじ５１と、板ばね５２と、裏板５３と、裏板留め５４と、を有する。
【００１９】
調整ねじ５１は、上横枠２１の内側見込面２１ａから、外側見込面２１ｂに向かって挿入され、上横枠２１の厚み方向に螺合される。調整ねじ５１の頭部５１１は、上横枠２１の内側見込面２１ａに露出している。調整ねじ５１の軸部５１２は、先端側が平坦で尖っていない。調整ねじ５１の軸部５１２は、隙間Ｓを上下方向に延び、上横枠２１に取り付けられた状態で軸部５１２の先端が上横枠２１の外側見込面２１ｂから突出する。
【００２０】
図３（ａ）は、隙間調整部材５の上面図、図３（ｂ）図は側面図、図３（ｃ）図は底面図、図３（ｄ）図は正面図を示す。板ばね５２は、金属製の平板ばねであり、上横枠２１の外側見込面２１ｂに取り付けられる。板ばね５２は、取付面５２１と、立ち上がり部５２２と、傾斜部５２３と、拡幅部５２４と、有する。
【００２１】
取付面５２１は、図２及び図３（ａ）〜図３（ｃ）に示すように、平面視略長方形の平坦な板であり、長手方向に沿って２つの円形のねじ孔５２１ａ、５２１ｂが隣接して形成されている。これらのねじ孔５２１ａ、５２１ｂには、内周面に沿ってねじ溝が形成されており、一方のねじ孔５２１ａに調整ねじ５１が、他方のねじ孔５２１ｂに後述する裏板留め５４が螺合される。取付面５２１は、その下面が上横枠２１の外側見込面２１ｂに当接する。取付面５２１は、長手方向の一方の端部側に、上方に向かって屈曲する屈曲端５２１ｃを有する。屈曲端５２１ｃは、後述する裏板５３よりわずかに大きな寸法で形成される。
【００２２】
立ち上がり部５２２は、図３（ｂ）に示すように、取付面５２１の長手方向の他方の端部から上下方向に延びるように取付面５２１から屈曲されて形成される。立ち上がり部５２２は取付面５２１の屈曲端５１２ｃに対向する側で上方に向かって起立する。
【００２３】
傾斜部５２３は、図３（ｂ）に示すように、立ち上がり部５２２の上端から連続して延び、取付面５２１を覆う側に屈曲して上方へ向かって上り傾斜する。
【００２４】
拡幅部５２４は、傾斜部５２３の上端から延び、自然状態で取付面５２１と略平行に延びる平板状の面である。拡幅部５２４は、調整ねじの軸部５１２の端部だけが被取付面に接している場合と比べて、隙間調整部材５が被取付面に接する面積を拡げるものであり、軸部５１２の端部の面積よりも広い。図３（ａ）に示すように、傾斜部５２３及び拡幅部５２４を合せた面積は、取付面５２１の半分程度であり、取付面５２１、立ち上がり部５２２、傾斜部５２３及び拡幅部５２４は一体の金属製の板で連続して形成されている。
【００２５】
拡幅部５２４は、隙間調整部材５が隙間Ｓに取り付けられた状態で、躯体１０の被取付面と、上横枠２１の外側見込面２１ｂとに対面するように配置される。また、拡幅部５２４は、隙間調整部材５が隙間Ｓに取り付けられた状態で、調整ねじ５１の軸部５１２の端部に当接可能に配置される。拡幅部５２４は、立ち上がり部５２２及び傾斜部５２３が取付面５２１から交差する方向に屈曲されていることで、金属の弾性により取付面５２１に近付く方向又は遠ざかる方向（上下方向）に曲がりやすくなっている。
【００２６】
裏板５３は、薄い直方体の板であり、板ばね５２の取付面５２１における屈曲端５２１ｃ側に長手方向の端部が寄って配置される。図３（ｄ）に示すように、裏板５３は、幅方向の寸法が板ばね５２の取付面５２１の幅方向の寸法と略同じであり、長手方向が取付面５２１の７０〜９０％の長さを有する。裏板５３は、取付面５２１の屈曲端５２１ｃ及び立ち上がり部５２２の厚さ方向の寸法よりもわずかに薄い。
【００２７】
図３（ｂ）に示すように、裏板５３には、取付面５２１に形成されるねじ孔５２１ａ、５２１ｂに対応する位置に、ねじ孔５３１ａ、５３１ｂが形成されている。裏板５３のねじ孔５３１ａ、５３１ｂの内周面には、ねじ溝が形成されており、調整ねじ５１及び以下に説明する裏板留め５４が螺合可能になっている。裏板５３のねじ孔５３１ａに調整ねじ５１が螺合することで、調整ねじ５１が上横枠２１及び取付面５２１に固定される。
【００２８】
裏板留め５４は、調整ねじ５１よりも軸部の短いねじである。裏板留め５４の軸部の長さは、裏板５３の厚さに対応している。裏板留め５４は、取付面５２１に形成されるねじ孔５２１ａ、５２１ｂのうち屈曲端５２１ｃ側に形成されるねじ孔５２１ｂに螺合されて、取付面５２１と裏板５３とを固定する。
【００２９】
図４（ａ）〜図４（ｃ）は、隙間調整部材５の使用状態説明図である。図４（ａ）〜図４（ｃ）を参照して、隙間調整部材５の取付方法及び使用状態について説明する。図４（ａ）は、躯体１０と上横枠２１との間の隙間Ｓが大きい場合の取付け状態を示し、図４（ｂ）は、図４（ａ）の場合よりも隙間Ｓが小さい場合を示し、図４（ｃ）は、図４（ａ）及び図４（ｂ）の場合よりも隙間Ｓが小さい場合を示す。
【００３０】
図４（ａ）に示すように、躯体１０と上横枠２１との間の隙間Ｓが大きい場合、調整ねじ５１を取付面５２１のねじ孔５２１ａ及び裏板５３のねじ孔５３１ａに取り付けながら、軸部５１２を上横枠２１の内側見込面２１ａから外側見込面２１ｂに挿入し、最大限躯体１０側へ突出させる。この状態では、軸部５１２の先端が拡幅部５２４を押し上げ、拡幅部５２４は上横枠２１に当接するように傾斜部５２３から上方へ屈曲する。図４（ａ）の状態では、板ばね５２である拡幅部５２４が隙間Ｓを塞ぎ、上横枠２１と躯体１０とを接続する。
【００３１】
図４（ｂ）に示すように、躯体１０と上横枠２１との間の隙間Ｓが、図４（ａ）の状態よりも小さい場合、調整ねじ５１を少し上横枠２１の内側見込面２１ａ側に残した状態で躯体１０側へ向かって螺合させる。拡幅部５２４は、調整ねじ５１の先端に押されて隙間Ｓを塞ぎ、上横枠２１と躯体１０とを接続する。このように、調整ねじ５１を躯体１０側に移動させ、上横枠２１の外側見込面２１ｂに突出させる長さを調整することで、拡幅部５２４が躯体１０に当接し、隙間Ｓを塞ぐまでの距離を調整することができる。
【００３２】
図４（ｃ）に示すように、躯体１０と上横枠２１との間の隙間Ｓが、図４（ｂ）の状態よりも小さい場合、調整ねじ５１を上横枠２１の内側見込面２１ａに多く残す。板ばね５２の拡幅部５２４は、躯体１０に押されて取付面５２１側へ屈曲し、つぶれたように隙間Ｓを塞ぎ、上横枠２１と躯体１０とを接続する。
【００３３】
本実施形態によれば、以下の効果が奏される。
本実施形態では、建具１を、躯体１０の被取付面及び上横枠２１の間に配置される隙間調整部材５を含んで構成した。また、隙間調整部材をが、上横枠２１の内側見込面２１ａから外側見込面２１ｂに向けて挿入されるとともに上横枠２１の厚み方向に螺合され、取り付けられた状態で軸部５１２の端部が上横枠２１の外側見込面２１ｂから突出し、頭部５１１が上横枠２１の内側見込面２１ａに露出する調整ねじ５１により構成した。
躯体１０に向かって上横枠２１の内側見込面２１ａから外側見込面２１ｂに向けて調整ねじ５１を螺合させ、ねじ込む長さを調整することで、調整ねじ５１の端部が上横枠２１の外側見込面２１ｂから突出し、調整ねじ５１の軸部が上横枠２１と躯体１０との間の隙間Ｓを塞ぐ方向に延びる。これにより、上横枠２１が調整ねじ５１の軸部を介して躯体１０に接続される。調整ねじ５１は、上横枠２１の内側見込面２１ａ側から取り付けることができるので、上横枠２１を取り付けた後でも隙間調整部材５を取り付けることができる。上横枠２１の内側見込面２１ａから調整ねじ５１をねじ込む長さを変えることで、上横枠２１と被取付面との隙間Ｓの間隔を容易に調整することができる。調整ねじ５１によって、上横枠２１の内側見込面２１ａの内側から隙間Ｓの間隔を調整することができるので、上横枠２１の取付の最中に、別部材のスペーサーを挿入しながら取り付ける必要がなくなるため、施工性が向上する。
【００３４】
本実施形態では、隙間調整部材５を、被取付面と、上横枠２１の外側見込面２１ｂとに対面するように配置し、軸部５１２の端部に当接可能な平板状の拡幅部５２４を含んで構成した。
拡幅部５２４が調整ねじ５１の軸部５１２の端部よりも広い面積で上横枠２１に当接可能なので、調整ねじ５１の軸部５１２が躯体１０に食い込むことを防止することができる。また、隙間調整部材５が躯体１０の被取付面に当接する面積が広くなるので、躯体１０と上横枠２１との間をより強固に接続することができる。
【００３５】
本実施形態では、拡幅部５２４を、上横枠２１の外側見込面２１ｂに取り付けられる板ばねにより構成した。拡幅部５２４が板ばね５２であるので、調整ねじ５１の軸部に当接して躯体１０側へ反発したり、躯体１０に押圧されて上横枠２１側に曲がる際に、反発力を生じさせながら躯体１０側を押圧することができる。このため、より強力に躯体１０と上横枠２１との間をより強固に接続することができる。
【００３６】
以上、本発明の好ましい実施形態について説明したが、本発明は、上述の実施形態に制限されるものではなく、適宜変更が可能である。
上記実施形態では、隙間調整部材５は、板ばね５２を有しているが、これに限られない。板ばね５２を有さず、調整ねじ５１の軸部のみが躯体１０と上横枠２１との間の隙間Ｓに延び、隙間Ｓを塞ぐ構成としてもよい。この場合、軸部の先端を平坦に構成することが望ましい。
【００３７】
また、上記実施形態では、被取付面として建物の躯体１０を例に説明したが、これに限られない。改装建具において既設枠を被取付面とし、枠体を新設枠の枠体とし、既設枠と新設枠の間の隙間Ｓに配置されるスペーサーとして用いてもよい。
【符号の説明】
【００３８】
１    建具
２    枠体
５    隙間調整部材
１０  躯体
２１ａ  内側見込面
２１ｂ  外側見込面
５１    調整ねじ
５２    板ばね
５１１  頭部
５１２  軸部
５２４  拡幅部
【図１】
2019173518.tif 000003
【図２】
2019173518.tif 000004
【図３】
2019173518.tif 000005
【図４】
2019173518.tif 000006